(57)【要約】【課題】キャップ等の装着又は複雑な機構若しくは加工なしで、長期間チップが外気に曝されてもカスレのない筆記線を形成可能で、且つインク漏れも抑制することが可能なマーキングペン、並びに当該マーキングペンに用いられる中芯及びインク組成物を提供すること。【解決手段】チップ６と、インク組成物１を含む中綿が収容されたインク収容部４と、先端孔２ａを有する軸筒２と、を備え、チップ６と外気とを隔てるとともに開閉可能な蓋及び着脱可能なキャップをいずれも備えない、出没式の中綿式マーキングペン１０であって、インク組成物１が、着色剤及び４．０〜１０．０のＩＯＢ値を有する水溶性溶媒を含有し、インク組成物１の充填率が、最大インク充填量に対して２５〜６５質量％であり、チップ６の先端部６２と、インク収容部４における中綿のチップ６とは反対側の端部５ａとの距離が１２０ｍｍ以下である、マーキングペン１０。【選択図】図１
2020111036.tif 000002
【特許請求の範囲】
【請求項１】
チップと、インク組成物を含む中綿が収容されたインク収容部と、先端孔を有する軸筒と、を備え、前記チップと外気とを隔てるとともに開閉可能な蓋及び着脱可能なキャップをいずれも備えない、出没式の中綿式マーキングペンであって、
前記インク組成物が、着色剤及び４．０〜１０．０のＩＯＢ値を有する水溶性溶媒を含有し、
前記インク組成物の充填率が、最大インク充填量に対して２５〜６５質量％であり、
前記チップの先端部と、前記インク収容部における前記中綿の前記チップとは反対側の端部との距離が１２０ｍｍ以下である、マーキングペン。
【請求項２】
前記チップを前記先端孔から出入可能なノック機構を備える、請求項１に記載のマーキングペン。
【請求項３】
未使用時に前記先端孔を塞ぐように軸筒に装着され、使用前に離脱される保護部材を更に備える、請求項１又は２に記載のマーキングペン。
【請求項４】
前記チップの先端部が前記軸筒内に収容された状態において、前記先端部と前記先端孔との距離が２．０ｍｍ以上である、請求項１〜３のいずれか一項に記載のマーキングペン。
【請求項５】
チップと、インク組成物を含む中綿が収容されたインク収容部と、を備え、
前記インク組成物が、着色剤及び４．０〜１０．０のＩＯＢ値を有する水溶性溶媒を含有し、
前記インク組成物の充填率が、最大インク充填量に対して２５〜６５質量％であり、
前記チップの先端部と、前記インク収容部における前記中綿の前記チップとは反対側の端部との距離が１２０ｍｍ以下である、請求項１〜４のいずれか一項に記載のマーキングペンに用いられる、中芯。
【請求項６】
着色剤及び４．０〜１０．０のＩＯＢ値を有する水溶性溶媒を含有する、請求項１〜４のいずれか一項に記載のマーキングペンに用いられる、インク組成物。
【発明の詳細な説明】
【技術分野】
【０００１】
本発明は、出没式の中綿式マーキングペン、並びに当該出没式の中綿式マーキングペンに用いられる中芯及びインク組成物に関する。
【背景技術】
【０００２】
インクを充填した筆記具による筆記の際、外気に長時間曝されることによりチップが乾燥し（ドライアップ）、筆記線にカスレが生じることがある。このようなチップのドライアップを容易に生じさせないように、こうした筆記具には通常チップを覆うようにキャップ等が装着される。
【０００３】
こうした中、最近、ノック機構等の出没機構によって軸筒からのチップの出入を可能にした出没式タイプのマーキングペンが注目されている。出没式のマーキングペンでは、例えば、軸筒の先端孔に配置された蓋が、チップの出入と合わせて開閉する開閉機構が利用されている。当該機構によれば、チップが軸筒内に後退した際に蓋が閉鎖され、外気から遮断されることから、マーキングペンを長期保管した際にキャップがなくともドライアップを抑制することができる。また、キャップを必要としないため、片手でチップの出入ができる利便性がある。しかし、出没式マーキングペンに蓋の開閉機構を設けた場合、機構部が複雑になり、ノックストローク等が長くなる、軸部が太くなるなどの問題があった。
【０００４】
一方、チップの乾燥抑制のため、インク組成物中にドライアップ遅延剤を添加する方法（下記特許文献１参照）や、蒸発抑制作用を有する物質をチップにコーティングする方法（下記特許文献２参照）などが検討されている。
【先行技術文献】
【特許文献】
【０００５】
【特許文献１】特開２０００−３１９５７０号公報
【特許文献２】特開２００２−２１７７号公報
【発明の概要】
【発明が解決しようとする課題】
【０００６】
特許文献１に開示された方法によれば、キャップを解放した後、チップの乾燥により不書きとなるまでの時間がある程度延びるものの、長時間経過後にはやはり不書きとなり、マーキングペンからキャップや蓋をなくすまでには至っていない。また、特許文献２に開示された方法は、蒸発抑制作用を有する物質の溶液にチップをディッピング処理又は噴霧処理する二次加工が必要となり、製造コストの上昇や生産効率の低下等、量産性に問題がある。
【０００７】
また、上述した従来のマーキングペンにおいては、例えば年単位でマーキングペンを長期保存する場合、チップのドライアップの抑制に加え、インク漏れ等を抑制する点で未だ改善の余地がある。
【０００８】
本発明は、このような実情に鑑みてなされたものであり、キャップ等の装着又は複雑な機構若しくは加工なしで、長期間チップが外気に曝されてもカスレのない筆記線を形成可能で、且つインク漏れも抑制することが可能なマーキングペン、並びに当該マーキングペンに用いられる中芯及びインク組成物を提供することを目的とする。
【課題を解決するための手段】
【０００９】
本発明者らは、インク組成に加え、中綿設計、インク収容部へのインク組成物の充填量等を鋭意総合的に検討することで、上記課題を解決するに至った。
【００１０】
すなわち、本発明は、チップと、インク組成物を含む中綿が収容されたインク収容部と、先端孔を有する軸筒と、を備え、チップと外気とを隔てるとともに開閉可能な蓋及び着脱可能なキャップをいずれも備えない、出没式の中綿式マーキングペンを提供する。上記マーキングペンにおいて、インク組成物は、着色剤及び４．０〜１０．０のＩＯＢ値を有する水溶性溶媒を含有し、インク組成物の充填率は、最大インク充填量に対して２５〜６５質量％である。また、チップの先端部と、インク収容部における中綿のチップとは反対側の端部との距離は１２０ｍｍ以下である。
【００１１】
上記マーキングペンによれば、キャップ等の装着又は複雑な機構若しくは加工なしで、長期間チップが外気に曝されてもカスレのない筆記線を形成可能で、且つインク漏れも抑制することが可能となる。
【００１２】
上記マーキングペンは、チップを先端孔から出入可能なノック機構を備えることができる。さらに、上記マーキングペンは、未使用時に先端孔を塞ぐように軸筒に装着され、使用前に離脱される保護部材を更に備えていてもよい。
【００１３】
上記マーキングペンは、チップの先端部が軸筒内に収容された状態において、先端部と先端孔との距離が２．０ｍｍ以上であってよい。
【００１４】
本発明はまた、上述した本発明に係るマーキングペンに用いられる中芯を提供する。上記中芯は、チップと、インク組成物を含む中綿が収容されたインク収容部と、を備え、インク組成物が、着色剤及び４．０〜１０．０のＩＯＢ値を有する水溶性溶媒を含有し、インク組成物の充填率が、最大インク充填量に対して２５〜６５質量％であり、チップの先端部と、インク収容部における中綿のチップとは反対側の端部との距離が１２０ｍｍ以下である。
【００１５】
本発明はさらに、上述した本発明に係るマーキングペンに用いられるインク組成物を提供する。上記インク組成物は、着色剤及び４．０〜１０．０のＩＯＢ値を有する水溶性溶媒を含有する。
【発明の効果】
【００１６】
本発明によれば、キャップ等の装着又は複雑な機構若しくは加工なしで、長期間チップが外気に曝されてもカスレのない筆記線を形成可能で、且つインク漏れも抑制することが可能なマーキングペン、並びに当該マーキングペンに用いられる中芯及びインク組成物を提供することができる。
【図面の簡単な説明】
【００１７】
【図１】本発明の一実施形態に係る出没式の中綿式マーキングペンを示す模式断面図であって、（ａ）は中芯が後退している状態を示し、（ｂ）は中芯が前進している状態を示す。
【発明を実施するための形態】
【００１８】
以下、適宜図面を参照しながら、本発明の好適な実施形態について詳細に説明する。
【００１９】
図１は、本発明の一実施形態に係る、出没式の中綿式マーキングペンを示す模式断面図である。図１（ａ）は、中芯が後退している状態を示し、図１（ｂ）は、中芯が前進している状態を示す。
【００２０】
図１（ａ）及び図１（ｂ）において、マーキングペン１０は、チップ６と、インク収容部４と、軸筒２と、を備える。インク収容部４は、少なくとも一端が開放された筒状の形状を有しており、インク収容部４の少なくとも一部には、インク組成物１を含む中綿が収容されている。なお、図１（ａ）及び図１（ｂ）に示すように、中綿は、例えばインク組成物１を含む綿部５１及び該綿部５１を収容する筒状の外皮５２を備えるインク吸蔵体５として、インク収容部４に収容されていてもよい。外皮５２の厚みは、例えば０．６ｍｍであってよい。さらに、チップ６がインク収容部４の開放孔に嵌挿されており、インク収容部４とチップ６とを合わせて中芯を構成している。インク収容部４におけるチップ６が嵌挿されている部分は、エア孔（ベンチレーター）を有していてもよい。中芯は、インク収容部４及びチップ６を一体として交換可能なものであってよい。
【００２１】
チップ６のインク収容部４に嵌挿された部分を挿入部６１と称し、インク収容部４から突出し最も離れた部分を先端部６２と称する。チップ６は、例えば繊維収束体であってよく、これが挿入部６１においてインク組成物１と接触する。インク組成物１は繊維間に吸蔵され、先端部６２に供給される。繊維収束体の材質は特に制限されないが、例えば、ポリエステル、ナイロン、アクリル、ＰＥ、羊毛等であってよい。
【００２２】
本実施形態におけるマーキングペンは、ノック機構等の出没機構を備える出没式のマーキングペンである。例えば、図１（ａ）及び図１（ｂ）に示すように、マーキングペン１０は、ノック部８１及び回転体８２を有するノック機構８を備えていてもよく、例えば、マーキングペン１０を使用しないときには、図１（ａ）に示すように、ノック部８１をノックすることによって回転体８２を含むノック機構８を後退させて、中芯を軸筒２中に後退させてこれを収容する。マーキングペン１０を使用するときには、図１（ｂ）に示すように、ノック部８１を再度ノックすることによって回転体８２を含むノック機構８を前進させて、中芯を前進させ、軸筒２の先端孔２ａを通して、チップ６（先端部６２）を軸筒２から突出させる。すなわち、ノック機構８は、ノックによってチップ６（先端部６２）を軸筒２の先端孔２ａから出入することが可能な機構であり、当該機構を有するマーキングペンをノック式マーキングペンということもある。
【００２３】
また、マーキングペン１０は、チップと外気（空気）とを隔てるとともに、開閉可能な蓋及び着脱可能なキャップ等をいずれも備えていなくともよい。したがって、図１（ａ）に示すように、中芯が前進している際にはもちろん、軸筒２内に後退している際にも、蓋又はキャップ等を備える場合と比べて、先端部６２は乾燥しやすい状態にある。上記蓋及びキャップは、例えば、マーキングペンの使用時に開き又は取り外され、使用後再度使用するまでの間（非使用時）に閉じ又は取り付けられるものである。上記蓋及びキャップが非使用時に閉じ又は取り付けられることにより、マーキングペンのチップと外気とが隔てられ、チップの乾燥が抑制されやすくなるからである。しかし、本実施形態に係るマーキングペンによれば、キャップ等の装着又は複雑な機構若しくは加工なしで、長期間チップが外気に曝されてもカスレのない筆記線を形成することができる。
【００２４】
なお、一度も使用されていない（未使用の）マーキングペンにおいて、軸筒２の先端には、先端孔２ａを塞ぐように、保護部材が装着されていてもよい。上記保護部材は、マーキングペンの使用前に離脱される。すなわち、上記保護部材が装着されたマーキングペンは、上記保護部材が離脱された後、使用することができる。なお、上記保護部材は一度離脱された後は、再度装着する必要がないものである。保護部材としては、ヒートシール可能な熱可塑性樹脂フィルム、粘着フィルム等のフィルム、ゴム栓、キャップなどが挙げられる。
【００２５】
マーキングペン１０において、チップ６の先端部６２と、インク収容部４における中綿又はインク吸蔵体５の、チップ６とは反対側の端部５ａとの距離（距離Ａ）は、１２０ｍｍ以下である。距離Ａが上記数値範囲内であれば、マーキングペンを長期保存した場合であっても、チップ６の先端部６２からのインク漏れを効果的に抑制することができる。このような観点から、距離Ａは１１５ｍｍ以下であることが好ましく、１１０ｍｍ以下であることがより好ましく、１０５ｍｍ以下であることが更に好ましい。距離Ａの下限値は、特に制限されることはないが、組立性の観点から、例えば１０ｍｍ以上であってよく、２０ｍｍ以上であってよく、３０ｍｍ以上であってよく、５０ｍｍ以上であってよく、８０ｍｍ以上であってよく、１００ｍｍ以上であってよい。
【００２６】
図１（ａ）に示すように、中芯が後退している状態、すなわち、チップ６の先端部６２が軸筒２内に収容された状態において、先端部６２と先端孔２ａとの距離Ｂは、２．０ｍｍ以上であってよい。距離Ｂが上記数値範囲内であれば、マーキングペンを長期保存した場合であっても、マーキングペンの筆記線の色変化を効果的に抑制することができる。このような観点から、距離Ｂは２．５ｍｍ以上であることが好ましく、３．０ｍｍ以上であることがより好ましく、３．５ｍｍ以上であることが更に好ましく、４．０ｍｍ以上であることが特に好ましい。距離Ｂの上限値は、特に制限されることはないが、ノックストロークの簡便性の観点から、例えば２５ｍｍ以下であってよく、２０ｍｍ以下であってよく、１５ｍｍ以下であってよく、１２ｍｍ以下であってよい。
【００２７】
マーキングペン１０において、インク収容部４にインク吸蔵体５が収容される場合、インク吸蔵体５における外皮５２の内径Ｃは、特に制限されず、通常のマーキングペンにおける外皮の有する内径とすることができる。内径Ｃは、マーキングペンの種類によって適宜調整することができ、例えば１〜１５ｍｍであってよく、太軸のマーキングペンの場合１０〜１４ｍｍであってよく、細軸のマーキングペンの場合２〜８ｍｍであってよく、極細軸のマーキングペンの場合１．５〜２ｍｍであってよい。
【００２８】
マーキングペン１０において、軸筒２の先端孔２ａの内径Ｄは、特に制限されず、通常のマーキングペンにおける先端孔の有する内径とすることができる。内径Ｄは、マーキングペンの種類によって適宜調整することができ、例えば１〜１２ｍｍであってよく、太字のマーキングペンの場合６〜１０ｍｍであってよく、細字のマーキングペンの場合２〜６ｍｍであってよく、極細字のマーキングペンの場合１．５〜２ｍｍであってよい。
【００２９】
マーキングペン１０において、インク収容部４に収容される中綿又は綿部５１は、インク組成物１を含んでいる。この場合におけるインク組成物１の充填率は、最大インク充填量に対して２５〜６５質量％である。インク組成物の充填率を上記範囲内とすることで、長期間チップが外気に曝されてもカスレのない筆記線を形成可能となり、且つインク漏れも抑制することができる。特に、インク消費に伴う寿命を長く設計する観点から、充填率は、最大インク充填量に対して３０質量％以上であることが好ましく、３５質量％以上であることがより好ましく、４０質量％以上であることが更に好ましく、４５質量％以上であることが特に好ましく、５０質量％以上であることが極めて好ましい。また、吸湿によるインクの体積増加に耐える設計とする観点から、充填率は、最大インク充填量に対して６２質量％以下であることが好ましく、５８質量％以下であることがより好ましく、５６質量％以下であることが更に好ましい。なお、インク充填率は、インク充填量／最大インク充填量として算出することができ、最大インク充填量とは、中綿（インク吸蔵体）を縦にした状態でインクを充填させ、下部にインクが滴るまで含ませたときのインク充填量を意味する。
【００３０】
インク組成物１は、着色剤及び水溶性溶媒を含有する。
【００３１】
本実施形態において用いられる水溶性溶媒は、４．０〜１０．０のＩＯＢ値を有する。なお、本明細書において、水溶性溶媒のＩＯＢ値（Ｉｎｏｒｇａｎｉｃ  Ｏｒｇａｎｉｃ  Ｂａｌａｎｃｅ）とは、当該水溶性溶媒の有機性値（Ｏｒｇａｎｉｃ  Ｖａｌｕｅ：Ｏ値）及び無機性値（Ｉｎｏｒｇａｎｉｃ  Ｖａｌｕｅ：Ｉ値）からＩ／Ｏ値として算出した値を意味し、複数種の水溶性溶媒の混合溶媒を用いる場合は、それぞれの溶媒のＩ値及びＯ値に各組成の比率を掛け合わせたのち、合算し、算出した値を意味する。水溶性溶媒のＩＯＢ値が上記数値範囲内であることにより、長期間チップが外気に曝されてもカスレのない筆記線をより効果的に形成することができる。このような観点から、水溶性有機溶媒のＩＯＢ値は、４．５以上であることが好ましく、５．０以上であることがより好ましく、５．２以上であることが更に好ましい。水溶性有機溶媒のＩＯＢ値は、例えば９．０以下であってもよく、８．０以下であってもよく、７．０以下であってもよい。
【００３２】
本実施形態において用いられる水溶性溶媒としては、単独又は混合溶媒でのＩＯＢ値が上記数値範囲内であることを満たす限り特に制限されない。単独または混合溶媒でのＩＯＢ値が上記数値範囲内となるように用いられる水溶性溶剤としては、例えば、水、水以外の水溶性溶剤等であってよい。水以外の水溶性溶剤としては、アルコール、そのアルキルエーテル等が挙げられる。上記アルコールは、多価アルコールであってよく、２価アルコール又は３価アルコールであってもよい。上記水溶性溶剤としては、例えば、エチレングリコール、プロピレングリコール、グリセリン、ポリエチレングリコール（ＰＥＧ）、ジエチレングリコール、トリエタノールアミン、１，３−ブチレングリコール、トリエチレングリコールモノブチルエーテル、ジエチレングリコールモノイソプロピルエーテル、ジエチレングリコールモノイソブチルエーテル、ジエチレングリコールモノブチルエーテル、ジエチレングリコールモノメチルエーテル、トリエチレングリコールモノメチルエーテル、ポリオキシアルキレンエーテル、ジプロピレングリコールモノメチルエーテル、ポリオキシアルキレンアルキルエーテル、ジメチルトリグリコール、Ｎ−エチルジエタノールアミン、モノ−ｎ−ブチルジエタノールアミン、ポリプロピレングリコール、トリエチレングリコール、及びコハク酸ビスエトキシジグリコール等が挙げられる。水溶性溶剤は、１種を単独で又は２種以上を任意の割合で混合することでＩＯＢ値を調整することができる。
【００３３】
インク組成物においては、水以外の水溶性溶剤として、エチレングリコール等の２価アルコール及びグリセリン等の３価アルコールの混合溶媒を用いることが好ましい。この場合、２価アルコールと３価アルコールとの混合割合は特に制限されないが、例えば、２価アルコール／３価アルコールが質量比で１０／１〜１／１であってよく、５／１〜２／１であってよい。
【００３４】
インク組成物において、上記水溶性溶媒の含有量は、インク組成物全量を基準として、好ましくは４０質量％以上であり、より好ましくは５０質量％以上であり、更に好ましくは６０質量％以上であり、特に好ましくは７０質量％以上である。インク組成物が上記水溶性溶媒を４０質量％以上含有することにより、チップを長時間空気中に曝された後であってもカスレのない筆記線の形成が可能なマーキングペンを得ることができる。上記水溶性溶媒の含有量は、例えば、インク組成物全量を基準として、９０質量％以下であってよい。
【００３５】
インク組成物が水を含む場合、当該水の含有量は、インク組成物全量を基準として、好ましくは５〜６０質量％であり、より好ましくは５〜４０質量％であり、更に好ましくは５〜３５質量％であり、特に更に好ましくは１０〜２５質量％である。染料の溶解性の向上、インク組成物の粘度の低下、及び吸湿のコントロールの観点から、インク組成物は水を含むことが好ましい。
【００３６】
インク組成物において、着色剤は、酸性染料、塩基性染料、直接染料、界面活性剤分散型顔料、及び自己分散型顔料からなる群より選ばれる少なくとも１種を含んでいてよい。着色剤の含有量は、インク組成物全量を基準として、例えば、０．５〜５．０質量％であることができる。
【００３７】
インク組成物は、本発明の効果を損なわない範囲において、上記各成分に加えて、上記水溶性溶媒以外の溶剤、防腐剤、ｐＨ調整剤、増粘剤、潤滑剤、及び界面活性剤等の添加剤を含有していてもよい。上記インク組成物は、樹脂を含有しないことが好ましい。また、不揮発分は、上記インク組成物全量を基準として、０．１〜１０質量％であることが好ましく、０．１〜５．０質量％であることがより好ましい。インク組成物が樹脂を含有しないことにより、又は、不揮発分が１０質量％以下であることにより、チップを長時間空気中に暴露した後であってもカスレのない筆記線の形成が可能な筆記具を得やすくなる。
【００３８】
インク組成物は、上記各成分を、例えば、ディゾルバー、ヘンシェルミキサー及びホモミキサーなどの撹拌機を用いて混合することにより得られる。撹拌機の撹拌条件は特に制限されないが、例えば、ディゾルバー撹拌機を用いて、回転数１００〜１０００ｒｐｍで３０〜１８０分間撹拌することにより、各成分が均一に溶解若しくは分散したインク組成物を得ることができる。
【００３９】
以上、本発明に係るマーキングペンの好適な実施形態について説明したが、本発明は上記実施形態に限定されるものではなく、様々な変形形態をとることが可能である。例えば、本発明に係るチップは、上述したように繊維収束体に限定されず、例えばプラスチック芯、エラストマー芯、ゴム芯、焼結芯等であってもよい。また、上記図１（ａ）、（ｂ）では、チップ先端部の形状として砲弾形状を有する態様を記載したが、チップ先端部の形状はこれに限定されず、例えばチゼル形状、筆ペン形状等であってもよい。
【実施例】
【００４０】
以下、実施例によって本発明を更に詳細に説明するが、本発明はこれらの実施例に限定されるものではない。
【００４１】
［インク組成物の調製］
表１に示す各成分を表１に示す配合比（質量基準）で混合し、各インク組成物を得た。なお、下記表１に表記される各材料の説明は以下のとおりである。
エチレングリコール：水溶性有機溶媒
グリセリン：水溶性有機溶媒
プロピレングリコールモノメチルエーテル：水溶性有機溶媒
タートラジン：染料
Ｃ．Ｉ．Ｂａｓｉｃ  Ｂｌｕｅ  ７：染料
Ｃ．Ｉ．Ｂａｓｉｃ  Ｖｉｏｌｅｔ  １：染料
Ｃ．Ｉ．  Ｂａｓｉｃ  Ｙｅｌｌｏｗ  ２８：染料
スラウト９９Ｎ：防腐剤
【００４２】
【表１】
2020111036.tif 000003
*1：水のＩ値：１００．０、Ｏ値：０のため、ＩＯＢ値を算出できず。
【００４３】
［マーキングペンの作製］
外皮及び綿部を有するインク吸蔵体を配置したインク収容部を準備し、得られた各インク組成物をそれぞれインク吸蔵体に充填した。ポリエステル繊維製のチップの一端をインク収容部に差し込み、チップにインク組成物を吸蔵させることにより中芯を得た。中芯を軸筒中に収容し、図１に示した構造を有するノック式マーキングペンを作製した。なお、作製の際は、インク組成物がチップの先端部にまで浸み込んでいることを確認した。得られたノック式マーキングペンにおけるインク組成物の種類、インク充填率、距離Ａ及び距離Ｂを表２及び表３に示す。
【００４４】
［マーキングペンの評価］
（筆記線のカスレ）
上記で作製したマーキングペンを、中芯が軸筒中に収容された状態でペン先を下に向けつつ、先端孔２ａをふさがないように縦置きし、温度２０℃湿度１５％ＲＨに設定した恒温恒湿槽内に２か月間放置した。その後、当該マーキングペンを用いて、普通紙（ＰＰＣ用紙［中性紙］）上に文字及びループを筆記した。筆記線の状態を下記基準に従って評価した。評価結果を表２及び表３に示す。評価結果がＡ又はＢであれば、実用上問題のないレベルであると判断される。
Ａ：文字及びループの筆記線にカスレがなかった。
Ｂ：ループの筆記線にカスレが生じたが、文字の筆記線にカスレがなかった。
Ｃ：文字及びループの両方の筆記線に著しいカスレが生じた、又は、筆記できなかった。
【００４５】
（インク漏れ）
上記で作製したマーキングペンを、中芯が軸筒中に収容された状態でペン先を下に向けて縦置きし、温度３５℃湿度８０％ＲＨに設定した恒温恒湿槽に４か月間放置した。その後、チップの先端部の状態を確認し、下記基準に従ってインク漏れを評価した。評価結果を表２及び表３に示す。評価結果がＡであれば、実用上問題のないレベルであると判断される。
Ａ：チップからインク漏れがなく異常がない。
Ｂ：チップからインク漏れがある。
【００４６】
（筆記線の色変化）
上記で作製したマーキングペンを、中芯が軸筒中に収容された状態でペン先を上に向けて縦置きし、乾燥冬季のオフィス室内（１２月から３月の気象に準じた気温、温度及び０．２ｍ／ｓ前後のエアコン風が当たる環境）で３か月間放置した。同様に作製した直後のマーキングペンと放置後のマーキングペンとを用いて、普通紙（ＰＰＣ用紙［中性紙］）上に筆記を行った。作製直後のマーキングペンの色調と、放置後のマーキングペンの色調を比較し、下記基準に従って筆記線の色調変化を評価した。結果を表２及び表３に示す。評価結果がＡ又はＢであれば、実用上問題のないレベルであると判断される。
Ａ：色目に著しい変化がない。
Ｂ：色目にやや変化がある。
Ｃ：色目に著しい変化がある（濃くなっている）。
【００４７】
【表２】
2020111036.tif 000004
【００４８】
【表３】
2020111036.tif 000005
【００４９】
表２に示されるように、実施例１〜９はいずれも、キャップ等の装着又は複雑な機構若しくは加工なしで、長期間チップが外気に曝されても、筆記線のカスレ、インク漏れ及び筆記線の色調変化の全てにおいて良好な評価結果が得られた。
【００５０】
一方、インク組成物の充填率の低い比較例１、インク組成物における混合溶媒のＩＯＢ値が所定範囲外である比較例２、８及び９は、筆記線にカスレが生じた。また、インク組成物の充填率の高い比較例３及び４、並びに距離Ａが大きい比較例５〜７は、長期保存後のチップからインク漏れが生じた。
【符号の説明】
【００５１】
１…インク組成物、２…軸筒、２ａ…先端孔、４…インク収容部、５…インク吸蔵体、５１…綿部、５２…外皮、５ａ…端部、６…チップ、６２…先端部、１０…（中綿式）マーキングペン。
【図１】
2020111036.tif 000006